(57)【特許請求の範囲】
【請求項１】
無線通信システムにおけるユーザー端末（ＵＥ）により無線リンク失敗を識別するための方法であって、
ネットワークから第１のタイマのタイマ情報を含むメッセージを受信するステップと、
前記無線リンク失敗を検出するための第２のタイマが駆動中であり、かつ、前記ＵＥによる測定結果を報告するためのイベントに対する進入条件(entering condition）が満たされる場合、前記第１のタイマを開始するステップと、
前記第１のタイマが満了する場合、前記無線リンク失敗が検出されることを決定するステップと、を有し、
前記イベントに対する進入条件が満たされるか否かは、前記ＵＥの測定結果に基づいて識別されることを特徴とする方法。
【請求項２】
前記第１のタイマを開始するステップは、
前記第２のタイマが駆動中であり、かつ、前記イベントが、前記ネットワークで予め定められた前記進入条件を満たす場合、前記タイマ情報に基づいて前記イベントで前記第１のタイマがサポートされるか否かを判定するステップを有し、
前記タイマ情報は、前記イベントで前記第１のタイマがサポートされるか否かに対する情報を含むことを特徴とする請求項１に記載の方法。
【請求項３】
前記タイマ情報は、前記第１のタイマの時間期間(time period）の値を含むことを特徴とする請求項１に記載の方法。
【請求項４】
前記メッセージは、無線リソース制御(ＲＲＣ)メッセージであることを特徴とする請求項１に記載の方法。
【請求項５】
各イベントの解除条件が満たされる場合、前記第１のタイマが開始されないことを特徴とする請求項１に記載の方法。
【請求項６】
前記ＵＥが前記ネットワークに周期的に伝送する測定報告を伝送する場合、前記第１のタイマは、前記測定報告に対して開始されないことを特徴とする請求項１に記載の方法。
【請求項７】
前記第１のタイマを開始するステップは、
ハンドオーバーに関連する第３のタイマの時間の間に前記イベントに関連する前記進入条件が満たされる場合、 前記タイマ情報に基づいて前記イベントで前記第１のタイマがサポートされるか否かを判定するステップを有することを特徴とする請求項１に記載の方法。
【請求項８】
前記タイマ情報に基づいて前記イベントで前記第１のタイマがサポートされるか否かを判定するステップと、
前記イベントに対して前記第１のタイマがサポートされない場合、前記第２のタイマに基づいて前記無線リンク失敗が発生するか否かを判定するステップと、
をさらに有することを特徴とする請求項１に記載の方法。
【請求項９】
前記ＵＥが前記ネットワークからハンドオーバーコマンドを受信する場合、前記第１のタイマを中断するステップをさらに有することを特徴とする請求項１に記載の方法。
【請求項１０】
無線通信システムにおけるユーザー端末（ＵＥ）であって、
ネットワークからデータを送信または受信するように構成される送受信部と、
前記ネットワークから第１のタイマのタイマ情報を含むメッセージを受信し、無線リンク失敗を検出するための第２のタイマが駆動中であり、かつ、前記ＵＥによる測定結果を報告するためのイベントに対する進入条件(entering condition）が満たされる場合に前記第１のタイマを開始し、かつ、前記第１のタイマが満了する場合に前記無線リンク失敗が検出されることを決定するように構成される少なくとも一つのプロセッサと、
を含み、
前記イベントに対する進入条件が満たされるか否かは、前記ＵＥの測定結果に基づいて識別されることを特徴とするＵＥ。
【請求項１１】
前記第２のタイマが駆動中であり、かつ、前記イベントが前記ネットワークで予め定められた前記進入条件を満たす場合、前記少なくとも一つのプロセッサは、前記タイマ情報に基づいて前記イベントで前記第１のタイマがサポートされるか否かを決定するように追加で構成され、
前記タイマ情報は前記イベントで前記第１のタイマがサポートされるか否かに対する情報を含むことを特徴とする請求項１０に記載のＵＥ。
【請求項１２】
前記タイマ情報は、前記第１のタイマの時間期間(time period）の値を含むことを特徴とする請求項１０に記載のＵＥ。
【請求項１３】
前記メッセージは、ＲＲＣ(Radio Resource Control)メッセージであることを特徴とする請求項１０に記載のＵＥ。
【請求項１４】
それぞれのイベントの解除条件(leaving condition）が満たされる場合、前記第１のタイマは開始されないことを特徴とする請求項１０に記載のＵＥ。
【請求項１５】
前記ＵＥが周期的に前記ネットワークに伝送する測定報告を伝送する場合、前記第１のタイマは前記測定報告に対して開始されないことを特徴とする請求項１０に記載のＵＥ。
【請求項１６】
ハンドオーバーに関連する第３のタイマの時間の間に前記イベントに関連する前記進入条件が満たされる場合、前記少なくとも一つのプロセッサは、前記タイマ情報に基づいて前記イベントで前記第１のタイマがサポートされるか否かを判定するように追加で構成されることを特徴とする請求項１０に記載のＵＥ。
【請求項１７】
前記少なくとも一つのプロセッサは、
前記タイマ情報に基づいて、前記イベントで前記第１のタイマがサポートされるか否かを判定し、かつ、
前記第１のタイマが前記イベントに対してサポートされない場合、前記第２のタイマに基づいて前記無線リンク失敗が発生するか否かを判定するように追加で構成されることを特徴とする請求項１０に記載のＵＥ。
【請求項１８】
前記少なくとも一つのプロセッサは、前記少なくとも一つのプロセッサが前記ネットワークからハンドオーバーコマンドを受信する場合、第１のタイマを中断するように追加で構成されることを特徴とする請求項１０に記載のＵＥ。
【発明の詳細な説明】
【技術分野】
【０００１】
本発明は、無線通信システムにおけるハンドオーバーに関連して無線リンク失敗(Radio  Link  Failure：ＲＬＦ)に関連したタイマの動作を制御する方法及び装置に関するものである。
【背景技術】
【０００２】
無線通信システムにおいて、一般的に端末(ＵＥ)の移動又は通信環境に従ってサービングセルとのチャンネル状態が変化し、端末は、サービングセルのチャンネル状態がよくない場合、ＲＬＦを宣言してＲＲＣ(Radio  Resource  Control)接続再設定を遂行し、あるいは隣接セルのうちハンドオーバーのためのターゲットセルを検出してハンドオーバー手順を遂行するようになる。
まず、無線通信システムの例としてＬＴＥ(Long Term Evolution)システムにおけるハンドオーバー手順について説明する。
【０００３】
図１は、従来技術によるＬＴＥシステムにおけるハンドオーバー手順を示す。ここで、ＬＴＥシステムは、３ＧＰＰ(3rd  Generation Partnership Project)  ＬＴＥ-Ａ(LTE-Advanced)システムを含む。
【０００４】
図１を参照すると、ステップ１０１〜１０７において、ＵＥ１１０は、ダウンリンク信号の強さ(例えば、ＲＳＲＰ(Reference Signal Received Power))を測定してハンドオーバーイベントを検出する場合、測定報告メッセージを用いて、これをサービングセルのサービングｅＮＢ(evolved  Node B)１３０に報告する。ステップ１０９〜ステップ１１９において、サービングｅＮＢ１３０は、ハンドオーバーを遂行するか否かを判定し、ＵＥ１１０がハンドオーバーされるターゲットセルのターゲットｅＮＢ１５０からハンドオーバーを要請する。ターゲットｅＮＢ１５０は、承認制御(admission  control)を遂行してＵＥ１１０のハンドオーバーを承認するか否かを判定する。ＵＥ１１０のハンドオーバーが承認される場合、サービングｅＮＢ１３０は、ＵＥ１１０にハンドオーバーの遂行に必要な情報をハンドオーバー命令メッセージに含んで伝送する。すると、ステップ１２１〜１２７において、ＵＥ１１０は、ハンドオーバー命令メッセージに含まれた情報を用いてターゲットｅＮＢ１５０へのハンドオーバー手順を遂行し、ＵＥ１１０は、ターゲットｅＮＢ１５０にハンドオーバー確認(handover  confirm)メッセージを伝送してハンドオーバー手順を終了する。図１を参照すると、参照番号１１，１３，１５は、ハンドオーバー手順を区間別に分けて表す。参照番号１１は、ハンドオーバーがトリガされるＴＴＴ(Time  To  Trigger)区間を表し、このＴＴＴ区間は、ハンドオーバータイマＴＴＴが駆動される間に維持される。
【０００５】
一般的に無線通信システムにおいて、ハンドオーバーは、ターゲットｅＮＢの信号強さがサービングｅＮＢの信号強さより大きい場合に発生する。すなわち、これは、ＵＥがサービングセルの縁に位置するか、あるいはＵＥとサービングｅＮＢとの間のチャンネル利得が低い状態を意味する。したがって、(i)ターゲットｅＮＢの信号強さがサービングｅＮＢの信号強さより高く発生するハンドオーバーと、(ii)ＵＥとサービングｅＮＢとの間のチャンネル利得が低く発生するＲＬＦは、共に発生する可能性が非常に高い。ＬＴＥシステムでは、このようなハンドオーバーとＲＬＦを次の＜表１＞の条件を通じて定義される。
【０００６】
【表１】
0006536913.tif 000002
【０００７】
＜表１＞において、“Ｎ３１０”は、所定の回数に設定される。＜表１＞に示すように、ハンドオーバー及びＲＬＦ条件が特定時間(例えば、タイマＴＴＴ、Ｔ３１０)で維持される場合、ハンドオーバー及びＲＬＦが宣言され、これに関連した動作が遂行される。ハンドオーバー及びＲＬＦ条件を満たしても特定時間でこのハンドオーバー及びＲＬＦ条件が保持されない場合、既に発生した条件は無効になる。
【０００８】
基本的にハンドオーバーとＲＬＦは独立的にオペレーティングされるプロセスである。したがって、ハンドオーバー手順が実行される間にＲＬＦが宣言される場合、ＵＥは、残りのハンドオーバー手順に関係なくＲＲＣ接続再設定を遂行する。ハンドオーバー及びＲＲＣ接続再設定は、各々次のような動作を遂行する間にサービス断絶を発生させ得る。
【０００９】
【表２】
0006536913.tif 000003
【００１０】
＜表２＞に示すように、ＲＲＣ接続再設定は、ハンドオーバーに比べてセル検索(cell  search)及びシステム情報獲得のための追加時間を必要とする。一般に、セル検索及びシステム情報獲得は、ダウンリンク同期化(synchronization)、アップリンク同期化、及びリソース割り当てより長い時間を必要とする動作である。したがって、ＵＥがハンドオーバー又はＲＬＦによるＲＲＣ接続再設定を遂行して新たなｅＮＢと通信を遂行しようとする場合、ハンドオーバーは、サービス断絶時間の観点で、ＲＲＣ接続再設定より有利であると見なされる。
【００１１】
多様なタイプのセルで構成される異種ネットワーク(heterogeneous  network）では、小型セルの導入によりハンドオーバーとＲＬＦが同時に発生する頻度が増加した。その理由は、次のようである。まず、小型セルは、小さいセル領域(cell  coverage）を有する。また、小型セルが高い密度で設置される場合、ＵＥは、複数の小型セルを検出し、これらから干渉を受けるようになる。それによって、ハンドオーバー領域が増加するだけでなく、セル間干渉によりＲＬＦ条件を満たす領域も増加するようになる。これに対応して、最近ではハンドオーバーとＲＬＦを同時に考慮する動作が提案されている。具体的な内容は、次の通りである。
【００１２】
図２は、従来技術によるＬＴＥシステムにおいてＲＬＦタイマの早期終了方式を示す。
図２を参照すると、ＲＬＦタイマＴ３１０の動作中に、ハンドオーバータイマＴＴＴが開始、維持、及び終了(又は満了)する場合、ＵＥは、ＲＬＦタイマの残り時間を終わりまで待機せずに、参照番号２０１のように、ハンドオーバータイマＴＴＴが終了する瞬間、ＲＬＦタイマを早期終了した後にＲＲＣ接続再設定を遂行する。
【００１３】
上記したように、ＲＬＦは、ＵＥとサービングｅＮＢとの間のチャンネル利得が低い場合に発生し、このＲＬＦは、ＰＤＣＣＨのＢＬＥＲに従って決定される。したがって、図２で、ＲＬＦタイマの早期終了技術は、ＵＥのＲＬＦタイマが既に始まったので、ＵＥがサービングｅＮＢからハンドオーバー命令メッセージを成功的に受信する可能性が低いと判定し、ＲＲＣ接続再設定の遂行において不必要な待機時間を短縮させるためにＲＬＦタイマを早期終了する。
【００１４】
しかしながら、ＵＥがＲＬＦを直ちに宣言せずに、ＲＬＦタイマを使用する理由は、ＲＬＦタイマの間にチャンネル利得が再び良くなる可能性があるためであることを考慮すれば、従来のＲＬＦタイマ早期終了技術では、ＵＥは、サービングセルのチャンネル利得がまた良くなる状況を観察できなくなる。さらに、ＵＥは、ＲＬＦタイマ早期終了後に常にＲＲＣ接続再設定を遂行するので、自動に復旧可能なＲＬＦに比べて複雑な手順を遂行するようになる。
【００１５】
また、ＲＬＦタイマが動作していることは、ＵＥとサービングｅＮＢとの間のチャンネル利得が平均的に非常に低いことを意味するが、瞬間的なチャンネル利得は高速フェージング(fast  fading)により高い可能性もある。このような可能性を考慮すると、ＲＬＦタイマが動作中であっても、ＵＥは、ハンドオーバー命令メッセージを成功裏に受信してハンドオーバーを成功裏に遂行する可能性がある。したがって、従来技術によるＲＬＦタイマＴ３１０の早期終了技術のように、常にＲＲＣ接続再設定を迅速に遂行することが最高の解決策といえない。
【００１６】
したがって、ＲＬＦタイマ早期終了技術の短所を克服するために、３ＧＰＰ  ＬＴＥシステムでは、Ｔ３１２タイマと称される新たなタイマを導入した。便宜上、Ｔ３１２タイマは、待機タイマとも称される。待機タイマＴ３１２の活用技術は、次のように動作する。
【００１７】
図３は、従来技術によるＬＴＥシステムで提案される待機タイマＴ３１２の動作を示す。
図３を参照すると、ＲＬＦタイマＴ３１０が駆動されている間、ハンドオーバータイマＴＴＴが開始された後に時間３０１で終了する場合、ＵＥは、待機タイマＴ３１２の間にハンドオーバー手順を遂行し、待機タイマＴ３１２が時間３０３で終了する場合、ＵＥは、ＲＬＦタイマの残り時間を終了まで待機することなく早期終了した後にＲＲＣ接続再設定を実行する。図３の待機タイマＴ３１２に対する技術は、図２で説明したＲＬＦタイマの早期終了技術を部分的に改善して提供される。
【００１８】
図２のＲＬＦタイマに対する早期終了技術は、チャンネル利得が再び回復する可能性と平均チャンネル利得は低いが、瞬間チャンネル利得が高いので、ＵＥがハンドオーバー命令メッセージを成功的に受信する可能性を考慮しない。しかしながら、図３に示すように待機タイマＴ３１２を導入することにより、ＵＥは、ハンドオーバータイマＴＴＴが終了した後にも待機タイマＴ３１２でチャンネル利得が回復されるか、あるいはハンドオーバーが成功的に実行されるかをモニタリングできる。また、待機タイマＴ３１２が終了する場合、ＵＥは、ＲＬＦタイマを早期終了し、その後にＲＲＣ接続再設定を実行することで、ＵＥのサービス断絶時間が増加することを防止することができる。
【００１９】
しかしながら、待機タイマＴ３１２の技術は、ネットワークで発生可能な多様な状況で、ＵＥが待機タイマＴ３１２をオペレーティングする方式により決定するための具体的な方案が提示されていない。したがって、待機タイマＴ３１２をより効率的に制御するための方案が要求される。
【００２０】
上記した情報は、本発明の開示の理解を助けるための背景情報として表示されるだけである。上記のいずれかが本発明に関する従来技術として適用されるか否かに関しては、何の決定も判定も下されていない。
【発明の概要】
【発明が解決しようとする課題】
【００２１】
したがって、本発明は上記した従来技術の問題点に鑑みてなさなれたものであって、その目的は、無線通信システムにおけるＲＬＦの決定のための待機時間を効率的に制御する方法及び装置を提供することにある。
【００２２】
本発明の他の目的は、無線通信システムにおけるＲＬＦの決定時に待機タイマの動作を効率的に制御する方法及び装置を提供することにある。
【課題を解決するための手段】
【００２３】
上記のような目的を達成するために、本発明の一態様によれば、無線通信システムにおける無線リンク失敗の決定に関連した待機時間を制御する方法が提供される。その方法は、ネットワークからメッセージを受信するステップと、無線リンク失敗の決定のための第１のタイマが駆動中であり、メッセージが待機時間に関連したタイマ情報を含む場合、タイマ情報に基づいて待機時間に関連した第２のタイマを開始するステップと、第１のタイマの満了前に第２のタイマが満了する場合、サービングセルのチャンネル状況を無線リンク失敗の状況として決定するステップとを有する。
【００２４】
本発明の他の態様によれば、無線通信システムにおける無線リンク失敗の判定に関連した待機時間を制御するユーザー端末(ＵＥ)が提供される。そのＵＥは、ネットワークとデータを送受信するように構成される送受信部と、無線リンク失敗の判定のための第１のタイマが駆動中であり、メッセージが待機時間に関連したタイマ情報を含む場合、タイマ情報に基づいて待機時間に関連した第２のタイマを開始し、第１のタイマの満了前に第２のタイマが満了する場合、サービングセルのチャンネル状況を無線リンク失敗の状況として判定する動作を制御する制御部とを含む。
【００２５】
本発明による実施形態の上記及び他の態様、特徴、及び利点は、添付の図面と共に述べる以下の詳細な説明から、一層明らかになるはずである。
【図面の簡単な説明】
【００２６】
【図１】従来技術によるシステムにおけるハンドオーバー手順を示す図である。
【図２】従来技術によるＬＴＥシステムにおけるＲＬＦタイマの早期終了方式を示す図である。
【図３】従来技術によるＬＴＥシステムで提案された待機タイマＴ３１２の動作を示す図である。
【図４】本発明の実施形態により、待機タイマＴ３１２の動作を制御する無線通信システムの構成例を示す図である。
【図５】本発明の実施形態により、無線通信システムでハンドオーバーのための複数のターゲットセルが検出される場合に待機タイマＴ３１２の制御方式を示す図である。
【図６】本発明の実施形態により、無線通信システムでハンドオーバーのための複数のターゲットセルの信号強さに基づいて待機タイマＴ３１２の制御方式を示す図である。
【図７】本発明の実施形態により、無線通信システムでハンドオーバー関連メッセージが受信されるか否かに従って待機タイマＴ３１２の制御方式を示す図である。
【図８Ａ】本発明の実施形態により、無線通信システムで待機タイマＴ３１２の開始時点の制御方式を示す図である。
【図８Ｂ】本発明の実施形態により、無線通信システムで待機タイマＴ３１２の開始時点の制御方式を示す図である。
【図９Ａ】本発明の多様な実施形態により、無線通信システムで待機タイマＴ３１２の長さを制御する方式を示す図である。
【図９Ｂ】本発明の多様な実施形態により、無線通信システムで待機タイマＴ３１２の長さを制御する方式を示す図である。
【図１０Ａ】本発明の多様な実施形態により、無線通信システムで待機タイマＴ３１２の開始時点を制御する他の方式を示す図である。
【図１０Ｂ】本発明の多様な実施形態により、無線通信システムで待機タイマＴ３１２の開始時点を制御する他の方式を示す図である。
【図１１】本発明の実施形態により、無線通信システムで待機タイマＴ３１２の終了条件による制御方式を示す図である。
【図１２】本発明の実施形態により、無線通信システムでハンドオーバー解除条件による待機タイマＴ３１２を制御する他の方式を示す図である。
【図１３】本発明の実施形態により、図５の方式に従って待機タイマＴ３１２を制御するＵＥの動作を示すフローチャートである。
【図１４】本発明の実施形態により、図６の方式に従って待機タイマＴ３１２を制御するＵＥの動作を示すフローチャートである。
【図１５】本発明の実施形態により、図７の方式に従ってハンドオーバー関連メッセージが受信されるか否かに基づいて待機タイマＴ３１２を別々に制御するＵＥの動作を示すフローチャートである。
【図１６】本発明の実施形態により、ＵＥが特定イベントを満たす場合に待機タイマＴ３１２を制御するＵＥの動作を示すフローチャートである。
【図１７】本発明の実施形態により、無線通信システムでハンドオーバー解除条件に基づいて待機タイマＴ３１２を制御するＵＥの動作を示すフローチャートである。
【図１８】本発明の実施形態により、待機タイマＴ３１２を設定する方式を示す図である。
【図１９】本発明の実施形態により、待機タイマＴ３１２の動作を制御するＵＥの構成を示す図である。
【発明を実施するための形態】
【００２７】
以下、本発明の望ましい実施形態を添付の図面を参照して詳細に説明する。
【００２８】
次の説明において、具体的な構成及び構成要素のような特定詳細は、ただ本発明の実施形態の全般的な理解を助けるために提供されるだけである。したがって、本発明の範囲及び趣旨を逸脱することなく、以下に説明される本発明の様々な変形及び変更が可能であることは、当該技術分野における通常の知識を持つ者には明らかである。なお、公知の機能または構成に関する具体的な説明は、明瞭性と簡潔性のために省略する。
【００２９】
次の説明及び請求項に使用する用語及び単語は、辞典的意味に限定されるものではなく、発明者により本発明の理解を明確且つ一貫性があるようにするために使用する。従って、特許請求の範囲とこれと均等なものに基づいて定義されるものであり、本発明の実施形態の説明が単に実例を提供するためのものであって、本発明の目的を限定するものでないことは、本発明の技術分野における通常の知識を持つ者には明らかである。
【００３０】
本願明細書に記載の各要素は、文脈中に特に明示しない限り、複数形を含むことは、当業者には理解できるものである。したがって、例えば、“コンポーネント表面（a component surface）”との記載は、１つ又は複数の表面を含む。
【００３１】
“実質的に(substantially)”という用語は、提示された特徴、パラメータ、又は値が正確に設定される必要はないが、許容誤差、測定誤り、測定精度限界及び当業者に知られているか、あるいは当業者によって実験なしに得られる要素を含む偏差又は変化が、これら特性が提供しようとする効果を排除しない範囲内で発生することを意味する。
【００３２】
本発明の多様な実施形態が例えばＬＴＥシステムを参照して説明されたが、本発明の多様な実施形態は、ＲＬＦの決定時に待機タイマを使用又は駆動可能な他の各種無線通信システムに同一の方式で適用できる。
【００３３】
さらに、本発明の多様な実施形態は、同一のタイプのセルを含む同種ネットワーク(homogeneous  network)と、異なるタイプのセルを含む異種ネットワーク(heterogeneous  network)に両方とも適用できる。例えば、マクロセルと小型セルを含む異種ネットワークでは、ｍａｃｒｏ-ｔｏ-ｍａｃｒｏ、ｍａｃｒｏ-ｔｏ-ｓｍａｌｌ、ｓｍａｌｌ-ｔｏ-ｍａｃｒｏ、ｓｍａｌｌ-ｔｏ-ｓｍａｌｌ  ｃｅｌｌ間ハンドオーバーを発生し、本発明の実施形態では、これらハンドオーバーのタイプに関係なく一般的に適用できる。
【００３４】
まず、本発明の理解を助けるために、待機タイマＴ３１２の一般的な動作は、以下の動作(１)〜(５)のように説明される。
【００３５】
(１)ＵＥとサービングｅＮＢ(evolved  Node B)との間のチャンネル利得が低く、ＢＬＥＲ(Block Error Rate)ＰＤＣＣＨがＢＬＥＲｔｈｒｅｓｈｏｌｄより低い(すなわち、ＬＴＥシステムでＰＤＣＣＨ(Physical Downlink Control Channel)のブロックエラー率ＢＬＥＲＰＤＣＣＨが所定のしきい値ＢＬＥＲｔｈｒｅｓｈｏｌｄより低い)状況が所定の回数だけ発生する場合、ＲＬＦタイマＴ３１０が開始される。
(２)ＵＥがハンドオーバー条件を満たすターゲットｅＮＢを検出する場合、ハンドオーバータイマＴＴＴが開始される。
(３)ハンドオーバータイマＴＴＴが終了する場合、待機タイマＴ３１２が開始される。
(４)ＵＥは、待機タイマＴ３１２が終了するまでハンドオーバーを試みる。
(５)待機タイマＴ３１２が終了する場合、ＵＥは、残りのＲＬＦタイマＴ３１０に関係なくＲＬＦを宣言し、ＲＲＣ(Radio Resource Control)接続再設定を遂行する。
【００３６】
図４は、本発明の実施形態により、待機タイマＴ３１２の動作を制御する無線通信システムの構成例を示す。
【００３７】
図４を参照すると、ＵＥ４７０がサービングセル４１のサービングｅＮＢ４１０と通信を実行する間にハンドオーバーイベントが発生する場合、ＵＥ４７０は、ハンドオーバーのためのターゲットセル４３，４５のターゲットｅＮＢ４３０，４５０を検出できる。図５乃至図１２の実施形態は、提案された動作、すなわちＵＥ４７０がハンドオーバーのために検出した複数のターゲットセル４３，４５を有する場合の待機タイマＴ３１２の動作、ＵＥ４７０がハンドオーバー関連メッセージを受信するか否かに従って遂行される待機タイマＴ３１２の動作、待機タイマＴ３１２の開始時点及び長さに対して測定する効率的な設定動作、待機タイマＴ３１２の終了動作、及びハンドオーバーイベント及び進入/解除条件に基づいて実行される待機タイマＴ３１２の動作に対応する。図４乃至図１２の実施形態では、説明の便宜上、ターゲットセルの個数は、２であると仮定する。しかしながら、２個以上のターゲットセルが存在する場合でも、本発明は同一の方式で適用され得る。
【００３８】
図５は、本発明の一実施形態による無線通信システムでハンドオーバーのための複数のターゲットセルが検出される場合に待機タイマＴ３１２を制御する方式を示す。
【００３９】
実際のネットワーク環境において、ＵＥは、ハンドオーバー条件を満たす複数のターゲットセル(又はターゲットｅＮＢ）を検出できる。特に、複数の小型セルが密に設置される異種ネットワークでは、マクロセルのみを含む同種ネットワークより多くの個数のターゲットセルが検出され得る。
【００４０】
図５を参照すると、ハンドオーバーのターゲットセルが２個である状況を示す。まず、ＵＥは、ターゲットセル‘ａ’を検出してハンドオーバータイマ‘ａ’ＴＴＴａを開始し、ハンドオーバータイマ‘ａ’ＴＴＴａが駆動される間にターゲットセル‘ｂ’を検出してハンドオーバータイマ‘ｂ’ＴＴＴｂを開始する。さらに、ＵＥは、時間５０１で、ハンドオーバータイマ‘ａ’ＴＴＴａが終了する場合、ターゲットセル‘ａ’に対する待機タイマ‘ａ’Ｔ３１２ａを開始し、時間５０３で、ハンドオーバータイマ‘ｂ’ＴＴＴｂが終了する場合、ＵＥは、ターゲットセル‘ｂ’に対する待機タイマ‘ｂ’Ｔ３１２ｂを開始する。ＵＥがまず検出されるターゲットセル‘ａ’に対する待機タイマ‘ａ’Ｔ３１２ａが終了され、待機タイマＴ３１２が上記した一般的な動作に従う場合、ＵＥは、ＲＬＦタイマＴ３１０の残り時間に関係なくＲＬＦを宣言し、ＲＲＣ接続再設定を遂行する。
【００４１】
図５の実施形態では、待機タイマＴ３１２の一般的な動作と異なり、複数のハンドオーバーターゲットｅＮＢである場合、ＵＥは、まず検出されるターゲットセルに対する待機タイマＴ３１２に基づいてＲＬＦを宣言する代わりに、以後に検出されるターゲットセルに対する待機タイマＴ３１２に基づいてＲＬＦを宣言する。すなわち、図５の時間５０５で、まず検出されたターゲットセル‘ａ’に対する待機タイマ‘ａ’Ｔ３１２ａが終了する場合にＲＬＦを宣言する代わりに、参照番号５０７で示すように、以後に検出されるターゲットセル‘ｂ’に対する待機タイマ‘ｂ’Ｔ３１２ｂが終了する場合にＲＬＦを宣言する。ＵＥは、ハンドオーバータイマ‘ａ’ＴＴＴａが終了した後に、待機タイマ‘ｂ’Ｔ３１２ｂが終了するまでターゲットセル‘ａ’に対するハンドオーバーを試み、同時にハンドオーバータイマ‘ｂ’ＴＴＴｂの終了後に待機タイマ‘ｂ’Ｔ３１２ｂが終了するまでターゲットセル‘ｂ’に対するハンドオーバーを試みる。ＵＥは、サービス断絶時間の側面で、ハンドオーバーの遂行がＲＲＣ接続再設定の遂行より有利である。したがって、複数のハンドオーバーターゲットｅＮＢである場合、ＵＥは、ターゲットｅＮＢの各々に対するハンドオーバーを順次に遂行する機会を有することが望ましい。このため、図５の実施形態に示すように、以後に検出されるターゲットセル‘ｂ’に対する待機タイマ‘ｂ’Ｔ３１２ｂに基づいてＲＬＦを宣言することが一層効率的である。
【００４２】
図１３は、本発明の実施形態により、図５の方式で待機タイマＴ３１２を制御するＵＥの動作を示すフローチャートである。
【００４３】
図１３を参照すると、ステップ１３０１において、ＵＥは、サービングセルのチャンネル状況がＲＬＦタイマの開始条件に対応する場合にＲＬＦタイマを開始する。ステップ１３０３において、ＵＥは、ＲＬＦタイマが駆動される間にハンドオーバーのための複数のターゲットセルが検出される場合、検出された複数のターゲットセルに対してハンドオーバーに関連した複数のハンドオーバータイマＴＴＴを各々開始する。ステップ１３０５において、ＵＥは、複数のハンドオーバータイマＴＴＴが各々終了する度にハンドオーバータイマＴＴＴに対応するように無線リンク失敗の待機時間に関連した複数の待機タイマＴ３１２を各々開始する。ステップ１３０７において、ＵＥは、ＲＬＦタイマの終了前に複数の待機タイマＴ３１２が全部終了する場合、ＲＬＦタイマの駆動を中断し、サービングセルのチャンネル状況をＲＬＦ状況として決定(又は宣言)し、ＲＲＣ接続再設定を遂行する。
【００４４】
もう一つの実施形態において、ＵＥが一つの待機タイマＴ３１２をオペレーティングする場合、ＵＥは、複数のハンドオーバータイマＴＴＴが各々終了する度に駆動している待機タイマＴ３１２を新たに更新(又はリセット)する。ＵＥは、ＲＬＦタイマの終了前に待機タイマＴ３１２が終了する場合、ＲＬＦタイマの駆動を停止し、サービングセルのチャンネル状況をＲＬＦ状況として決定(又は宣言)し、ＲＲＣ接続再設定を遂行する。この動作をサポートするために、３ＧＰＰ(3rd  Generation Partnership Project)ＬＴＥシステムの仕様のうちＴＳ(Technical Specification)３６.３３１，５.５.４.１  Measurement  report  triggering-一般アイテムに、次の＜表３＞に示すような詳細(下線部分）が追加され得る。
【００４５】
【表３】
0006536913.tif 000004
【００４６】
一般に、ＵＥがハンドオーバーのための複数のターゲットセルを検出する場合、最高の信号強さ又は品質を有するターゲットセロハンドオーバーを遂行することが望ましい。したがって、複数のターゲットセルの信号強さに基づいてＲＬＦの宣言時点を適応的に制御できる。
【００４７】
図６は、本発明の実施形態により、無線通信システムでハンドオーバーのための複数のターゲットセルの信号強さに基づいて待機タイマＴ３１２を制御する方式を示す。
【００４８】
図６を参照すると、ＵＥは、ターゲットセル‘ａ’を検出してハンドオーバータイマ‘ａ’ＴＴＴａを開始し、ハンドオーバータイマ‘ａ’ＴＴＴａが駆動中にターゲットセル‘ｂ’を検出してハンドオーバータイマ‘ｂ’ＴＴＴｂを開始する。さらに、時間６０１で、ハンドオーバータイマ‘ａ’ＴＴＴａが終了する場合、ＵＥは、ターゲットセル‘ａ’に対する待機タイマ‘ａ’Ｔ３１２ａを開始し、時間６０３で、ハンドオーバータイマ‘ｂ’ＴＴＴｂが終了する場合、ＵＥは、ターゲットセル‘ｂ’に対する待機タイマ‘ｂ’Ｔ３１２ｂを開始する。最初に検出されたターゲットセル‘ａ’に対する待機タイマ‘ａ’Ｔ３１２ａが終了する場合、ＵＥは、時間６０５で、ターゲットセル‘ｂ’に対する待機タイマ‘ｂ’Ｔ３１２ｂが駆動中であるか否かを判定し、待機タイマ‘ｂ’Ｔ３１２ｂが駆動中である場合、ターゲットセル‘ａ’の信号強さをターゲットセル‘ｂ’の信号強さと比較する。ターゲットセル‘ｂ’の信号強さがターゲットセル‘ａ’の信号強さより大きい場合、ＵＥは、ターゲットセル‘ｂ’に対する待機タイマ‘ｂ’Ｔ３１２ｂが終了するまで待機し、ターゲットセル‘ｂ’の信号強さがターゲットセル‘ａ’の信号強さより小さい場合、ＵＥは、ターゲットセル‘ｂ’に対する待機タイマ‘ｂ’Ｔ３１２ｂが終了するまで待機することなく、待機タイマ‘ａ’Ｔ３１２ａが終了するとすぐにＲＬＦを宣言し、その後にＲＲＣ接続再設定を遂行する。
【００４９】
ＵＥが最高の信号強さを有するハンドオーバーターゲットｅＮＢを好むという側面から、図６の方式は効率的である。すなわち、ＲＬＦ宣言が可能な時点で信号強さがより良いハンドオーバーターゲットｅＮＢが存在する場合、ＵＥは、ＲＬＦ宣言を延期する。そうでない場合、ＵＥは、直ちにＲＬＦを宣言する。このような動作を通して、ＵＥは、ハンドオーバー時間を短縮させ、ＲＲＣ接続再設定プロセスを迅速に開始できる。
【００５０】
図１４は、本発明の実施形態により、図６の方式で待機タイマＴ３１２を制御するＵＥの動作を示すフローチャートである。
【００５１】
図１４を参照すると、ステップ１４０１において、ＵＥは、サービングセルのチャンネル状況がＲＬＦタイマの開始条件に対応する場合、ＲＬＦタイマを開始する。ステップ１４０３において、ＵＥは、ＲＬＦタイマの駆動中にハンドオーバーのための複数のターゲットセルが検出される場合に、検出された複数のターゲットセルに対してハンドオーバーに関連した複数のハンドオーバータイマＴＴＴを各々開始する。ステップ１４０５において、ＵＥは、複数のハンドオーバータイマＴＴＴが各々終了する度にハンドオーバータイマＴＴＴに対応するように無線リンク失敗の待機時間に関連した複数の待機タイマＴ３１２を各々開始する。
【００５２】
ステップ１４０７において、ＵＥは、複数の待機タイマＴ３１２のうち満了した待機タイマＴ３１２が決定される場合、満了した待機タイマＴ３１２に対応する第１のターゲットセルを、駆動中である少なくとも一つの待機タイマＴ３１２に対応する少なくとも一つの第２のターゲットセルの信号強さと各々比較する。ステップ１４０９において、ＲＬＦタイマの終了前に第１のターゲットセルの信号強さが少なくとも一つの第２のターゲットセルの信号強さがより大きい場合、ＵＥは、ＲＬＦタイマの駆動を停止し、サービングセルのチャンネル状況をＲＬＦの状況として決定し、ＲＲＣ接続再設定を実行する。
【００５３】
図７は、本発明の実施形態により、無線通信システムでハンドオーバー関連メッセージが受信されるか否かに従って待機タイマＴ３１２の制御方式を示す。
【００５４】
まず、図１のハンドオーバー手順で説明したように、ＵＥは、ハンドオーバータイマＴＴＴの満了後にサービングｅＮＢに測定報告メッセージを送信し、ターゲットｅＮＢからハンドオーバー命令メッセージを受信する。測定報告メッセージはアップリンクを通じて伝送され、ハンドオーバー命令メッセージはダウンリンクを通じて伝送されるので、２個のメッセージは、異なるチャンネル品質を経験しつつ送信する。したがって、２個のハンドオーバー関連メッセージの送受信は、相互に独立的であると考慮され、異なる待機タイマＴ３１２は、各メッセージに適用できる。
【００５５】
ハンドオーバータイマＴＴＴの満了後に、ＵＥが測定報告メッセージに対するＡＣＫ(Acknowledgement)を受信する場合に適用される待機タイマがＴ３１２ＭＲとして定義され、ＵＥが測定報告メッセージに対するＡＣＫを受信した後にハンドオーバー命令メッセージを受信する場合に適用される待機タイマをＴ３１２ＨＯＣＭＤとして定義される場合、図７の時間７０１で、ＵＥは、ハンドオーバータイマＴＴＴを終了した後にＴ３１２ＭＲを開始する。時間７０３で、ＵＥがＴ３１２ＭＲで測定報告メッセージに対するＡＣＫを受信しない場合、ＵＥは、Ｔ３１２ＭＲの満了終にＲＬＦを宣言してＲＲＣ接続再設定を遂行する。一方、ＵＥがＴ３１２ＭＲで測定報告メッセージに対するＡＣＫを成功的に受信する場合、時間７０５で、Ｔ３１２ＭＲを終了し、Ｔ３１２ＨＯＣＭＤを開始する。ＵＥがＴ３１２ＨＯＣＭＤ でハンドオーバー命令メッセージを受信しない場合、時間７０７で、ＵＥは、Ｔ３１２ＨＯＣＭＤの満了後にＲＬＦを宣言し、ＲＲＣ接続再設定を実行する。しかしながら、ＵＥがＴ３１２ＨＯＣＭＤでハンドオーバー命令メッセージを成功的に受信する場合、ＵＥは、残りのハンドオーバープロセスを継続して進行する。図７の実施形態に示すように、Ｔ３１２ＭＲとＴ３１２ＨＯＣＭＤを区分して定義する場合、ＵＥとサービングｅＮＢとの間のアップリンク及びダウンリンクの性能に従って待機タイマを別に制御できる。
【００５６】
図１５は、本発明の実施形態により、図７の方式でハンドオーバー関連メッセージを受信するか否かに基づいて待機タイマＴ３１２を区分して制御するＵＥの動作を示すフローチャートである。
【００５７】
図１５を参照すると、ステップ１５０１で、ＵＥは、ハンドオーバータイマＴＴＴが満了(又は終了)する場合、測定報告に関連した第１の待機タイマＴ３１２ＭＲを開始する。ステップ１５０３で、ＵＥは、第１の待機タイマＴ３１２ＭＲが駆動中にｅＮＢから測定報告メッセージに対するＡＣＫが受信されるか否かを判定する。ＵＥは、ＡＣＫの受信に失敗する場合、ステップ１５０５で、第１の待機タイマＴ３１２ＭＲを満了した後にサービングセルのチャンネル状況をＲＬＦの状況として決定し、ＲＲＣ接続再設定を遂行する。一方、ステップ１５０３において、ＵＥがＡＣＫを受信したと判定される場合、ＵＥは、ステップ１５０７で、第１の待機タイマＴ３１２ＭＲを終了し、ハンドオーバー命令メッセージの受信に関連した第２の待機タイマＴ３１２ＨＯＣＭＤを開始する。ステップ１５０９において、ＵＥは、第２の待機タイマＴ３１２ＨＯＣＭＤが駆動中にハンドオーバー命令メッセージが受信されるか否かを判定する。ＵＥがハンドオーバー命令メッセージを受信した場合に、ＵＥは、ステップ１５１１で、ハンドオーバー手順を実行し、ハンドオーバー命令メッセージを受信しない場合、ステップ１５１３で、第２の待機タイマＴ３１２ＨＯＣＭＤを満了した後にサービングセルのチャンネル状況をＲＬＦ状況として決定し、ＲＲＣ接続再設定を遂行する。
【００５８】
以下、図８Ａ乃至図１０を参照して、本発明の多様な実施形態で待機タイマＴ３１２の開始時点と長さを制御する方式について説明する。
【００５９】
まず、ＲＬＦタイマＴ３１０の早期終了技術は、ＵＥがサービングｅＮＢとのチャンネル利得がよくないにもかかわらず、サービングｅＮＢに接続される時間を短縮させるために、ハンドオーバーターゲットｅＮＢの検出時に直ちにＲＬＦを宣言してＲＲＣ接続再設定を遂行可能にする。したがって、ＲＬＦタイマＴ３１０の早期終了技術が使用される場合、ＵＥが、チャンネル利得がよくないサービングｅＮＢに接続されている時間を短縮できるが、サービングセルのチャンネル利得は、再び回復することをＵＥが観察する機会が減少する可能性がある。すなわち、低いチャンネル利得を経験する時間とチャンネル利得が回復する可能性との間にトレードオフ(trade-off)関係がある。
【００６０】
待機タイマＴ３１２に対する動作制御は、トレードオフ関係を改善するために提案される。この制御動作において、ＵＥは、ハンドオーバーターゲットｅＮＢを検出した後に直ちにＲＬＦを宣言する代わりに、待機タイマＴ３１２の間にチャンネルを追加に観察しつつハンドオーバーを試みた後、待機タイマＴ３１２が満了する場合、これ以上待機せずにＲＬＦを宣言する。しかしながら、待機タイマＴ３１２の動作制御を使用しても、待機タイマＴ３１２の開始時点及び長さに従ってＵＥがまだ低いチャンネル利得を経験する時間とチャンネル利得が回復する可能性との間のトレードオフ関係が存在する可能性がある。したがって、ＵＥが低いチャンネル利得を経験する時間とチャンネル利得を回復する可能性との間のトレードオフ関係を考慮して待機タイマＴ３１２の開始時点及び長さを制御する必要がある。
【００６１】
図８Ａ及び図８Ｂは、本発明の多様な実施形態により、無線通信システムで待機タイマＴ３１２の開始時点を制御する方式を示す。
【００６２】
上記した待機タイマＴ３１２の基本的な動作において、ＵＥは、ハンドオーバーターゲットｅＮＢを検出した後、ハンドオーバータイマＴＴＴが終了する場合に待機タイマＴ３１２をすぐ開始する。図８Ａに示すように、ハンドオーバータイマＴＴＴがＲＬＦタイマＴ３１０の駆動初期に終了する場合、ＵＥに比較的長いＲＬＦタイマＴ３１０が残っている(８０１)。一方、図８Ｂに示すように、ハンドオーバータイマＴＴＴがＲＬＦタイマＴ３１０の中間で満了する場合、ＵＥは、比較的短いＲＬＦタイマＴ３１０が残っている(８０３)。２つのケースの両方ともに、ＵＥは、ハンドオーバータイマＴＴＴの満了後に開始される待機タイマＴ３１２のみで、サービングｅＮＢのチャンネル回復及びハンドオーバーの試みをモニタリングできる。したがって、図８Ａの実施形態では、すべてのＵＥに対して所定時間のＲＬＦタイマＴ３１０を保証するために、ＲＬＦタイマＴ３１０の所定の最小保証時間(Ｔ３１０分)８０５以後に待機タイマＴ３１２が開始するように(８０７)待機タイマＴ３１２の開始時点を制御する。
【００６３】
他の実施形態として、ハンドオーバータイマＴＴＴが満了する時点に関係なく、ＵＥが最小限Ｔ３１０分のＲＬＦタイマＴ３１０を保証可能なように、次の動作(１)〜(３)を提案する。
【００６４】
(１)ＲＬＦタイマＴ３１０が駆動中にハンドオーバータイマＴＴＴが満了する場合、ＵＥは、残りのＲＬＦタイマＴ３１０を決定する。
(２)残りのＲＬＦタイマＴ３１０がＴ３１０分未満である場合、ＵＥは、待機タイマＴ３１２技術の一般的動作のようにハンドオーバータイマＴＴＴの終了後に直ちに待機タイマＴ３１２を開始する。
(３)残りのＲＬＦタイマＴ３１０がＴ３１０分以上である場合、ＵＥは、Ｔ３１０分まで待機した後、待機タイマＴ３１２を開始する。
【００６５】
動作(１)〜(３）の動作を適用する場合、すべてのＵＥはハンドオーバーのためのターゲットセルを検出した後、所定の時間間サービングｅＮＢのチャンネルが回復してハンドオーバーを試みる時間を保証できる。
【００６６】
また、ハンドオーバータイマＴＴＴの満了時点でＲＬＦタイマＴ３１０の残り時間に従って待機タイマＴ３１２の長さを調整できる。ＲＬＦタイマＴ３１０の残り時間がより長い場合、待機タイマＴ３１２の長さがより長く設定され、ＲＬＦタイマＴ３１０の残り時間がより短い場合、待機タイマＴ３１２の長さがより短く設定され得る。すなわち、本発明では、ＲＬＦタイマＴ３１０の残り時間に比例して待機タイマＴ３１２の長さを制御する方式を提案する。本発明の待機タイマＴ３１２の長さを制御するために提案された方式が適用される場合、ＲＬＦタイマＴ３１０の初期にハンドオーバーのためのターゲットセルを検出するＵＥは、サービングｅＮＢのチャンネル利得が低くなった後、現在までの時間がまだ短いため、より長い時間でサービングｅＮＢのチャンネルが回復され、ハンドオーバーを試みる時間を有することができる。一方、ＲＬＦタイマＴ３１０の中間以後にターゲットセルを検出するＵＥは、サービングｅＮＢのチャンネル利得が低くなった後、現在までの時間が比較的長いため、短い時間でサービングｅＮＢのチャンネル利得が回復され、ハンドオーバーを試みる時間を有するように制御できる。
【００６７】
図９Ａ及び図９Ｂは、本発明の多様な実施形態により、無線通信システムで待機タイマＴ３１２の長さを制御する方式を示す。
【００６８】
図９Ａ及び図９Ｂを参照すると、ＲＬＦタイマＴ３１０が駆動中にハンドオーバータイマＴＴＴが満了する場合、ＵＥは、参照番号９０１，９０５で示すように、ＲＬＦタイマＴ３１０の残り時間(Remaining  T310，Remaining  T310'）を決定する。ＵＥは、参照番号９０３，９０７で示すように、ＲＬＦタイマＴ３１０の残り時間(Remaining  T310、Remaining  T310')に所定値を掛けて待機タイマＴ３１２の長さを決定する。本発明の実施形態により、図９ＡはＲＬＦタイマＴ３１０の残り時間が図９Ｂより長いため、ＵＥは、残り時間に比例して図９Ａの待機タイマＴ３１２の時間長さが図９Ｂの待機タイマＴ３１２の時間長さより長く制御される。
【００６９】
図１０Ａ及び図１０Ｂは、本発明の多様な実施形態による無線通信システムにおける待機タイマＴ３１２の開始時点を制御する他の方式を示す。
【００７０】
他の実施形態として、ハンドオーバータイマＴＴＴがＲＬＦタイマＴ３１０より若干早期満了した状況を仮定する場合、これは、図１０Ａの一例と同一である。待機タイマＴ３１２に対する技術の一般的な動作によると、待機タイマＴ３１２は、ＲＬＦタイマＴ３１０が駆動中にハンドオーバータイマＴＴＴが満了する場合のみに開始できる。図１０Ａに示すように、ハンドオーバータイマＴＴＴがＲＬＦタイマＴ３１０より若干早期満了した場合と、図１０Ｂに示すように、ハンドオーバータイマＴＴＴがＲＬＦタイマＴ３１０より若干後に満了する場合との間の差はあまり大きくない。しかしながら、待機タイマＴ３１２に対する技術の一般的な動作によると、図１０Ａのケースで待機タイマＴ３１２が開始せず、図１０Ｂのケースでは待機タイマＴ３１２が開始する。この動作の差を減少させ、待機タイマＴ３１２の一貫性のある動作を保証するために、本発明では図１０Ａ及び図１０Ｂに示す実施形態を提案する。
【００７１】
図１０Ａ及び図１０Ｂを参照して、待機タイマＴ３１２の開始時点を制御する本発明の他の実施形態について説明する。ＵＥは、ハンドオーバーターゲットｅＮＢを検出した後にハンドオーバータイマＴＴＴを開始する。ＵＥは、ハンドオーバータイマＴＴＴが維持後に満了する場合、ハンドオーバーを試みる。サービングｅＮＢの低い信号品質のためにＲＬＦタイマＴ３１０が開始する場合、ＵＥは、ハンドオーバータイマＴＴＴが満了するか否かを判定する。ハンドオーバータイマＴＴＴが図１０Ａに示すように、ＲＬＦタイマＴ３１０の開始前に満了した場合、ＵＥは、ハンドオーバータイマＴＴＴの満了時点を決定する。ハンドオーバータイマＴＴＴの満了時間とＲＬＦタイマＴ３１０の開始時間との差１００１が所定のしきい値以下である場合、ＵＥは、ＲＬＦタイマＴ３１０の開始時間で待機タイマＴ３１２を開始する。ハンドオーバータイマＴＴＴの終了時間とＲＬＦタイマＴ３１０の開始時間との差１００１がしきい値以上である場合、ＵＥは、待機タイマＴ３１２の技術及びＲＬＦタイマＴ３１０の早期終了技術を適用しない。これら動作が適用される場合、ＵＥは、ハンドオーバータイマＴＴＴがＲＬＦタイマＴ３１０の開始以前に満了しても待機タイマＴ３１２を開始することができる。図１０Ｂでは、ハンドオーバータイマＴＴＴの満了後に、待機タイマＴ３１２をすぐ開始する上記の実施形態と同一のケースである。
【００７２】
待機タイマＴ３１２の基本動作において、待機タイマＴ３１２が満了する場合、ＵＥは、ＲＬＦタイマＴ３１０の残り時間に関係なくＲＬＦを宣言し、ＲＲＣ接続再設定を遂行する。しかしながら、本発明の実施形態では、所定の終了条件を満たす場合、駆動中に待機タイマＴ３１２を終了する制御方式を提案する。
【００７３】
本発明の実施形態で提案する待機タイマＴ３１２の終了条件は、以下の１〜４を含む。
(１)ＵＥが測定報告メッセージに対するＡＣＫを受信する条件
(２)ＵＥがハンドオーバー命令メッセージを成功的に受信する条件
(３)ＵＥとサービングｅＮＢとの間のチャンネル利得を回復してＲＬＦタイマＴ３１０が終了される条件
(４)ハンドオーバーイベントに対する解除条件を満たす条件
【００７４】
条件(１）の場合、ＵＥがサービングｅＮＢに測定報告メッセージを成功的に送信する場合、サービングｅＮＢは、隣接ｅＮＢにハンドオーバー要請メッセージを送信する。ハンドオーバー要請メッセージを受信した隣接ｅＮＢは、ＵＥが直ちにその隣接ｅＮＢに接続される事実を知るようになる。したがって、ＵＥが測定報告メッセージを成功的に送信する場合に、ＵＥがＲＲＣ接続再設定を遂行しても、これに要求される時間を短縮させ得る。この場合、ＵＥは、待機タイマＴ３１２を終了し、ＲＲＣ接続再設定を遂行することができる。条件(２)及び条件(３)の場合、各々ハンドオーバーがスムーズに遂行され、ＵＥとサービングｅＮＢとの間のチャンネルが回復されたので、待機タイマＴ３１２を維持する必要がない。したがって、ＵＥは、待機タイマＴ３１２を終了する。条件(４)は、以下の＜表４＞を参照して説明する。
【００７５】
３ＧＰＰ  ＬＴＥシステムでは、以下の＜表４＞に示すようにいくつかのイベントＡ１〜Ａ６を定義し、ＵＥの信号強さ又は品質が以下のイベントのうちいずれか一つを満たす場合、ＵＥは、その測定結果をサービングｅＮＢに報告する。使用されるメッセージが測定報告メッセージであり、受信した測定報告メッセージを有するサービングｅＮＢは、ＵＥのハンドオーバーを遂行するか否かを判定する。
【００７６】
【表４】
0006536913.tif 000005
【００７７】
＜表４＞のイベントは、３ＧＰＰ  ＬＴＥシステムの仕様に定義される。＜表４＞において、イベントＡ１及びＡ２は、隣接ｅＮＢに対する信号の強さ又は品質とは関係ない。これらイベントは、ＲＬＦタイマＴ３１０の早期終了技術及び待機タイマＴ３１２のための活用技術と関連が小さいこともある。その理由は、ＵＥがＲＬＦタイマＴ３１０を早期終了しても、ＵＥがＲＲＣ接続再設定を遂行する隣接ｅＮＢを発見しないためである。さらに、イベントＡ６は、セカンダリセル(ＳＣｅｌｌ）の信号強さ又は品質のみを考慮するだけで、プライマリセル(ＰＣｅｌｌ）の信号強さ又は品質を考慮しない。この場合にも、ＲＬＦタイマＴ３１０の早期終了技術及び待機タイマＴ３１２の技術と関連が少ないこともある。その理由は、現在まで公開された３ＧＰＰ  ＬＴＥシステムの仕様によれば、ＵＥは、ＳＣｅｌｌに対するＲＬＦを宣言しないためである。しかしながら、３ＧＰＰ  ＬＴＥシステムの仕様が今後変更され、ＵＥがＳＣｅｌｌに対してもＲＬＦを宣言する場合、イベントＡ６は、ＲＬＦタイマＴ３１０の早期終了技術及び待機タイマＴ３１２の技術に高く関連される。
【００７８】
待機タイマＴ３１２の技術は、ＲＬＦタイマＴ３１０が動作する(すなわち、サービングｅＮＢの信号品質がよくない)場合に適用できる。したがって、待機タイマＴ３１２の技術は、隣接ｅＮＢを考慮したハンドオーバーイベントに適用される可能性が高い。すなわち、隣接ｅＮＢの信号強さ又は品質を考慮したイベントＡ３，Ａ４，Ａ５に対して待機タイマＴ３１２の技術が適用される可能性が高い。したがって、本発明の実施形態では、ｅＮＢは、ＵＥが特定イベントを満たす場合、待機タイマＴ３１２の技術を適用するか否かをＵＥに通知できる。
【００７９】
図１６は、本発明の実施形態により、特定イベントを満たす場合に待機タイマＴ３１２を制御するＵＥの動作を示すフローチャートである。
【００８０】
図１６を参照すると、ステップ１６０１において、ＵＥは、サービングセルのチャンネル状況がＲＬＦタイマの開始条件に対応する場合、ＲＬＦタイマを開始する。ステップ１６０３において、ＵＥは、その測定結果、特定イベントに対する測定報告トリガリング進入条件がハンドオーバータイマＴＴＴの時間で満足する場合、ステップ１６０５で、ＵＥは、特定イベントが待機タイマＴ３１２の技術をサポートするか否かを判定する。特定イベントが待機タイマＴ３１２の技術をサポートする場合、ステップ１６０７で、ＵＥは、待機タイマＴ３１２の技術を適用して待機タイマＴ３１２を開始する。
一方、特定イベントが待機タイマＴ３１２の技術をサポートしない場合、ＵＥは、従来技術による方式でＲＬＦの有無を判定する。
【００８１】
図１６の実施形態において、ＵＥは、特定イベントを満たす場合に、待機タイマＴ３１２の技術を適用する(すなわち、待機タイマＴ３１２を開始する)。しかしながら、ＵＥは、他の特定イベントを満たす場合、待機タイマＴ３１２の技術を適用しない(すなわち、待機タイマＴ３１２を開始しない)こともある。このような動作をサポートするために、３ＧＰＰ  ＬＴＥシステムの仕様のうち、ＴＳ３６.３３１，５.５.４.１  Ｍｅａｓｕｒｅｍｅｎｔ  ｒｅｐｏｒｔ  ｔｒｉｇｇｅｒｉｎｇ一般アイテム及びＭｅａｓＯｂｊｅｃｔＥＵＴＲＡ情報要素、及びＲｅｐｏｒｔＣｏｎｆｉｇＥＵＴＲＡ情報要素アイテムに、次の＜表５＞乃至＜表７＞に示すような詳細(下線部分）が追加され得る。ここで、ＭｅａｓＯｂｊｅｃｔＥＵＴＲＡ情報要素と、ＲｅｐｏｒｔＣｏｎｆｉｇＥＵＴＲＡ情報要素は、３ＧＰＰ  ＬＴＥ規格において知られているようにＥＵＴＲＡＮ(Evolved  Universal  Terrestrial  Radio  Access  Network)でｅＮＢからＵＥへ送信されるＲＲＣメッセージ(例えば、ＲＲＣ接続(再）設定メッセージ)に含まれる。ＲＲＣ接続(再）設定メッセージは、リソース割り当て/解除、ハンドオーバー、測定設定、及びセル追加/解除のようなＲＲＣ接続の(再）設定のために、ｅＮＢからＵＥへ送信される。本発明の実施形態で提案される待機タイマＴ３１２の技術をサポートするための情報(例えば、待機タイマ情報）は、ＭｅａｓＯｂｊｅｃｔＥＵＴＲＡ情報要素、ＲｅｐｏｒｔＣｏｎｆｉｇＥＵＴＲＡ情報要素を通じてＵＥに提供され、ＵＥは、上記した特定イベントの発生前にＲＲＣメッセージを通じて待機タイマ情報を受信できる。測定の側面で、ＵＥがいつ何を測定するかを知っていなければならないので、ＵＥは、ＲＬＦタイマＴ３１０の駆動とハンドオーバータイマＴＴＴの満了が発生する前に待機タイマ情報を含むＲＲＣ接続(再）設定メッセージを受信できる。
【００８２】
待機タイマ情報は、ネットワークで待機タイマＴ３１２をサポートするか否かを表す情報と、待機タイマＴ３１２に対する設定値(configured  value)のうち少なくとも一つを含む。
【００８３】
＜表７＞において、ＲｅｐｏｒｔＣｏｎｆｉｇＥＵＴＲＡ情報要素は、待機タイマＴ３１２をサポートするか否かを示す情報を含み、＜表６＞で、ＭｅａｓＯｂｊｅｃｔＥＵＴＲＡ情報要素は、待機タイマＴ３１２に対して設定される値を含む。設定される値は、待機タイマＴ３１２の設定時間と解析される。待機タイマＴ３１２の設定値は、＜表６＞に示すように、各イベントごとに個別的に設定できる。
【００８４】
さらに、＜表５＞で第１のラインで、“if  the  entry  condition  applicable  for  this  event〜”を参照すると、本発明の実施形態で待機タイマＴ３１２は、各イベントの進入条件を満たす場合に開始されることがわかる。
【００８５】
【表５】
0006536913.tif 000006
【００８６】
【表６】
0006536913.tif 000007
【００８７】
【表７】
0006536913.tif 000008
【００８８】
次に、３ＧＰＰ  ＬＴＥシステムの規格に定義されている公知のイベントＡ１乃至Ａ６は、以下の＜表８＞乃至＜表１３＞に示すようにハンドオーバー進入条件及び解除条件を有する。
【００８９】
【表８】
0006536913.tif 000009
【００９０】
＜表８＞は、イベントＡ１に対するハンドオーバー進入及び解除条件を示す。
【００９１】
【表９】
0006536913.tif 000010
【００９２】
＜表９＞は、イベントＡ２に対するハンドオーバー進入及び解除条件を示す。
【００９３】
【表１０】
0006536913.tif 000011
【００９４】
＜表１０＞は、イベントＡ３に対するハンドオーバー進入及び解除条件を示す。
【００９５】
【表１１】
0006536913.tif 000012
【００９６】
＜表１１＞は、イベントＡ４に対するハンドオーバー進入及び解除条件を示す。
【００９７】
【表１２】
0006536913.tif 000013
【００９８】
＜表１２＞は、イベントＡ５に対するハンドオーバー進入及び解除条件を示す。
【００９９】
【表１３】
0006536913.tif 000014
【０１００】
＜表１３＞は、イベントＡ６に対するハンドオーバー進入及び解除条件を示す。
【０１０１】
＜表８＞乃至＜表１３＞で、各イベントに対してＵＥにより測定される信号強さ又は品質がハンドオーバータイマＴＴＴでハンドオーバー進入条件を満たす場合、ＵＥは、サービングｅＮＢに測定報告メッセージを送信してハンドオーバーの開始を要請する。さらに、各イベントに対してＵＥにより測定される信号強さ又は品質がハンドオーバー解除条件をハンドオーバータイマＴＴＴで満たす場合、ＵＥは、サービングｅＮＢに測定報告メッセージを送信して進行中であるハンドオーバーを中断することを要請する。このように、測定報告メッセージが伝送される場合に、ハンドオーバー進入条件を満足して測定報告メッセージとして送信されるものであるか、あるいはハンドオーバー解除条件を満足して測定報告メッセージとして送信されるものであるかに従って、ＵＥ及びｅＮＢの動作は区別される。
【０１０２】
しかしながら、待機タイマＴ３１２のための技術の基本動作は、測定報告メッセージがどの条件を満たして伝送されるかに関係なく、待機タイマＴ３１２を開始できる。ＵＥが特定イベントに対する進入条件を満たし、そのイベントが待機タイマＴ３１２の技術が適用されるイベントである場合、ＵＥは、待機タイマＴ３１２を開始することが望ましい。しかしながら、ＵＥが解除条件を満足させて測定報告メッセージを伝送する場合には、次のような状況を考慮できる。
【０１０３】
図１１は、本発明の実施形態により、無線通信システムでハンドオーバー解除条件による待機タイマＴ３１２の制御方式を示す。
【０１０４】
図１１を参照すると、ＵＥは、ＲＬＦタイマＴ３１０の開始条件を満たしてＲＬＦタイマＴ３１０を開始し、ＵＥは、時間１１０１で、ターゲットセル‘ａ’に対して特定ハンドオーバーイベントに対するハンドオーバー進入条件を満たしてハンドオーバータイマＴＴＴを開始及び維持する。ＵＥは、ハンドオーバータイマＴＴＴの終了後に時間１１０３で待機タイマＴ３１２を開始する。ＵＥは、時間１１０５で、待機タイマＴ３１２の区間のハンドオーバータイマＴＴＴで、ターゲットセル‘ａ’に対して特定ハンドオーバーイベントに対するハンドオーバー解除条件を満たす。
【０１０５】
この場合、ターゲットセル‘ａ’は、ＵＥの観点からこれ以上適切なハンドオーバーターゲットセルでない。したがって、待機タイマＴ３１２の終了後にＲＬＦを宣言し、ＲＲＣ接続再設定を遂行しても、ＵＥがＲＲＣ接続再設定を遂行する隣接ｅＮＢが存在しないこともある。したがって、ＵＥは、待機タイマＴ３１２の終了後にＲＬＦの宣言及びＲＲＣ接続再設定の遂行の代わりに、駆動中である待機タイマＴ３１２を終了してＲＬＦタイマＴ３１０を待機しつつ、サービングｅＮＢのチャンネルが良くなる状況を待つことが望ましい。したがって、本実施形態において、ＵＥは、図１１の参照番号１１０７に示すように、ターゲットセル‘ａ’に対するハンドオーバー解除条件をハンドオーバータイマＴＴＴで満たす場合、待機タイマＴ３１２を終了する。
【０１０６】
図１７は、本発明の実施形態により、無線通信システムでハンドオーバー解除条件に基づいて待機タイマＴ３１２を制御するＵＥの動作を示すフローチャートである。
【０１０７】
図１７を参照すると、ステップ１７０１において、ＵＥは、サービングセルのチャンネル状況がＲＬＦに関連したＲＬＦタイマの開始条件に対応する場合、ＲＬＦタイマを開始する。ステップ１７０３において、ＵＥは、ＲＬＦタイマが駆動される場合にハンドオーバーのためのターゲットセルが検出される場合、検出されたターゲットセルに対してハンドオーバーに関連したハンドオーバータイマＴＴＴを開始する。ステップ１７０５において、ハンドオーバータイマＴＴＴが満了すると、ＲＬＦの待機時間に関連した待機タイマＴ３１２を開始する。ステップ１７０７において、ＵＥは、待機タイマＴ３１２の駆動中にターゲットセルがハンドオーバータイマＴＴＴの時間でハンドオーバー解除条件を維持する場合、待機タイマＴ３１２を終了し、ＲＬＦタイマが駆動される間にサービングセルのチャンネル状況をモニタリングする。
【０１０８】
図１２は、本発明の実施形態による無線通信システムにおけるハンドオーバー解除条件による待機タイマＴ３１２の他の制御方式を示す。
【０１０９】
図１２を参照すると、ＵＥは、ＲＬＦタイマＴ３１０開始条件を満たしてＲＬＦタイマＴ３１０を開始する。タイム１２０１及び１２０３で、ＵＥは、ターゲットセル‘ａ’に対して特定ハンドオーバーイベントに対するハンドオーバー進入条件を満たしてハンドオーバータイマ‘ａ’ＴＴＴａを開始及び保持する。また、タイム１２０７及び１２０９で、ＵＥは、ターゲットセル‘ｂ’に対して特定ハンドオーバーイベントに対する進入条件を満たしてハンドオーバータイマ‘ｂ’ＴＴＴｂを開始及び保持する。
【０１１０】
一方、タイム１２０３で、ＵＥは、ターゲットセル‘ａ’に対するハンドオーバータイマ‘ａ’ＴＴＴａの終了後に待機タイマＴ３１２を開始する。さらに、ＵＥがハンドオーバータイマ‘ｂ’ＴＴＴｂの終了後にターゲットセル‘ａ’に対する待機タイマＴ３１２ａが駆動している間にターゲットセルｂに対して特定ハンドオーバーイベントに対するハンドオーバー解除条件をハンドオーバータイマＴＴＴで満たす場合、ターゲットセルｂは、ＵＥの観点からこれ以上適切なハンドオーバーターゲットセルでない。しかしながら、ターゲットセル‘ａ’は、ハンドオーバー進入条件を満たした後にハンドオーバー解除条件を満たさないので、適切なハンドオーバーターゲットである。したがって、ターゲットセルａを考慮した場合、待機タイマＴ３１２は、継続して維持されなければならない。それによって、本実施形態において、ＵＥは、ターゲットセル‘ｂ’に対して特定ハンドオーバーイベントに対するハンドオーバー解除条件をハンドオーバータイマＴＴＴで満たす場合でも、現在特定ハンドオーバーイベントに対するハンドオーバー進入条件を満たし、ハンドオーバータイマＴＴＴを保持するターゲットセルａが存在する場合にはターゲットセル‘ａ’の待機タイマＴ３１２ａを中断することなく維持する。
【０１１１】
すなわち、特定ｅＮＢがハンドオーバーイベントに対する解除条件を満たす場合、進入条件を満足させ、これを保持する他のｅＮＢが存在する場合、ＵＥは、動作中である待機タイマＴ３１２を保持し、進入条件を満たし、これを保持する他のｅＮＢが存在しない場合には、ＵＥは、待機タイマＴ３１２を終了する。
【０１１２】
また、ＵＥは、上記イベントＡ１乃至Ａ６が発生しなくても、周期的に測定報告メッセージをｅＮＢに送信する。この場合、本発明の実施形態では、待機タイマＴ３１２の技術を適用しない。すなわち、ＵＥは、周期的な測定報告メッセージに対しては待機タイマＴ３１２を開始しない。
【０１１３】
本発明の実施形態においてハンドオーバーイベントに対するハンドオーバー進入条件と解除条件を両方とも考慮したが、ハンドオーバー解除条件が適用されない選択的な動作も可能である。この場合、ハンドオーバー解除条件により待機タイマＴ３１２が開始されることを防止できる。
【０１１４】
以下、待機タイマＴ３１２を設定する本発明の多様な実施形態について説明する。
また、本発明の一実施形態では、待機タイマＴ３１２の長さがＵＥのハンドオーバーのためのターゲットセルのタイプに基づいて異なることができる。例えば、下記の＜表１４＞に示すように、ターゲットセルがピコセルである場合、その長さが相対的に小さい値として設定される待機タイマＴ３１２_Ｐｉｃｏを使用され、ターゲットセルがマクロセルである場合、その長さが相対的に大きい値として設定される待機タイマＴ３１２が使用され得る(Ｔ３１２_Ｍａｃｒｏ＞Ｔ３１２_Ｐｉｃｏ)。
【０１１５】
【表１４】
0006536913.tif 000015
【０１１６】
ターゲットセルのタイプに従って異なる長さを有する待機タイマＴ３１２_Ｐｉｃｏ又はＴ３１２_Ｍａｃｒｏに関する情報は、ユニキャスト方式、ブロードキャスト方式、又は他の所定の方式でｅＮＢによりＵＥに伝送できる。
【０１１７】
さらに、本発明の実施形態において、待機タイマＴ３１２の長さは、現在進行されているハンドオーバーに適用されたハンドオーバータイマＴＴＴの長さに従って(又は比例して)決定され得る。例えば、ハンドオーバータイマＴＴＴが大きい値を有する場合、待機タイマＴ３１２も大きい値を有し、ハンドオーバータイマＴＴＴが小さい値を有する場合、待機タイマＴ３１２も小さい値を有することができる。また、ハンドオーバーＴＴＴを区間別に分類した後に、各区間に待機タイマＴ３１２を対応させて使用することもできる。例えば、＜表１５＞に示すように、ハンドオーバータイマＴＴＴを[０，２００]ｍｓ、[２０１，４００]ｍｓ、[４０１，６００]ｍｓ、[６０１，８００]ｍｓ、[８０１及び１０００]ｍｓの区間に分割すると、各区間で待機タイマＴ３１２は、５０，１００，１５０，２００，２５０ｍｓに対応する。
【０１１８】
【表１５】
0006536913.tif 000016
【０１１９】
本発明の他の実施形態において、ハンドオーバータイマＴＴＴを(Ｔ３１２＝ａ＊ＴＴＴ)の方式でスケーリング(scaling)して待機タイマＴ３１２を設定することもできる。ここで、‘ａ’は、スケーリングパラメータであり、ｅＮＢは、ＵＥにユニキャスト方式、ブロードキャスト方式、又は他の所定の方式でこのスケーリングパラメータ‘ａ’に関する情報を伝送する。
【０１２０】
さらに、本発明の一実施形態において、ＵＥがハンドオーバーを遂行するターゲットセルの信号強さ(例えば、ＲＳＲＰ(Reference Signal Received Power))を用いて待機タイマＴ３１２を設定することも可能である。例えば、ターゲットセルのＲＳＲＰが高い場合には待機タイマＴ３１２が小さい値を有し、ターゲットセルのＲＳＲＰが低い場合には待機タイマＴ３１２が大きい値を有するように待機タイマＴ３１２を設定できる。本発明の一実施形態において、ＲＬＦタイマＴ３１０を(Ｔ３１２＝ｂ＊Ｔ３１０)のようにスケーリングして待機タイマＴ３１２を設定することも可能である。スケーリングパラメータ‘ｂ’は、ｂ＝ＲＳＲＰｔａｒｇｅｔ/ｃｏｎｓｔａｎｔとして設定される。ＲＳＲＰｔａｒｇｅｔは、ターゲットセルのＲＳＲＰである。定数値に関して、その情報は、ユニキャスト方式、ブロードキャスト方式でｅＮＢによりＵＥに伝送され、あるいは所定の値が使用され得る。本発明の一実施形態において、ターゲットセルのＲＳＲＰは、以下の＜表１６＞に示すように各区間別に分類され、各区間に待機タイマＴ３１２に対応させて使用することも可能である。
【０１２１】
【表１６】
0006536913.tif 000017
【０１２２】
さらに、本発明の一実施形態において、ＵＥがハンドオーバーを遂行するターゲットセルのＲＳＲＰと現在サービングセルのＲＳＲＰとの間の比(ＲＳＲＰｔａｒｇｅｔ/ＲＳＲＰｓｅｒｖｉｎｇ)(以下、‘ＲＳＲＰ比’と称する)を用いて待機タイマＴ３１２を設定することができる。例えば、待機タイマ３１２は、ＲＳＲＰ比が大きい値を有する場合には待機タイマＴ３１２が小さい値を有し、ＲＳＲＰ比が小さい値を有する場合には待機タイマＴ３１２が大きい値を有するように設定され得る。本発明の一実施形態において、ＵＥは、ｅＮＢからユニキャスト方式又はブロードキャスト方式で受信される値、あるいは所定方式で知られる値、最大待機タイマＴ３１２にＲＳＲＰ比を乗算して自身が使用する待機タイマＴ３１２を設定することができる。
【０１２３】
図１８は、本発明の一実施形態による待機タイマＴ３１２を設定する方式を示す。
【０１２４】
本発明の一実施形態において、図１８を参照すると、ＵＥは、残りのＲＬＦタイマＴ３１０  １８０７にＲＳＲＰ比を乗算して待機タイマＴ３１２  １８０３を設定できる。図１８を参照して、参照番号１８０１はハンドオーバータイマＴＴＴを示し、参照番号１８０５はＲＬＦタイマＴ３１０を示す。また、本発明の実施形態において、以下の＜表１７＞に示すように、ＲＳＲＰ比を区間別に分類した後に各区間に待機タイマＴ３１２を対応させて使用することもある。
【０１２５】
【表１７】
0006536913.tif 000018
【０１２６】
図１９は、本発明の実施形態により待機タイマＴ３１２の動作を制御するＵＥの構成を示す。
【０１２７】
図１９のＵＥは、各セルのｅＮＢとデータを送受信するための送受信部１９１０、ハンドオーバーのためのセル検索のために各セルの信号強さを測定する測定部１９３０、及び図４乃至図１８に示す少なくとも一つの方式を適用して待機タイマＴ３１２の動作を制御する制御部１９５０を含んで実現され得る。
【０１２８】
上記した本発明の実施形態では、待機タイマＴ３１２の技術が使用される場合に発生する多様な状況に対する解決方案を示し、ＬＴＥシステムで、待機タイマＴ３１２は、スムーズに動作し、待機タイマＴ３１２の技術を最適化するためのフレームワークを有するようにする。さらに、本発明の多様な実施形態では、ＵＥがハンドオーバーとＲＬＦを同時に経験する場合にサービス断絶時間を可能であれば短縮させつつハンドオーバー機会が減少することを防止できる。
【０１２９】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【符号の説明】
【０１３０】
４１  サービングセル
４３，４５  ターゲットセル
１９１０  送受信部
１９３０  測定部
１９５０  制御部
【図１】
0006536913.tif 000019
【図２】
0006536913.tif 000020
【図３】
0006536913.tif 000021
【図４】
0006536913.tif 000022
【図５】
0006536913.tif 000023
【図６】
0006536913.tif 000024
【図７】
0006536913.tif 000025
【図８Ａ】
0006536913.tif 000026
【図８Ｂ】
0006536913.tif 000027
【図９Ａ】
0006536913.tif 000028
【図９Ｂ】
0006536913.tif 000029
【図１０Ａ】
0006536913.tif 000030
【図１０Ｂ】
0006536913.tif 000031
【図１１】
0006536913.tif 000032
【図１２】
0006536913.tif 000033
【図１３】
0006536913.tif 000034
【図１４】
0006536913.tif 000035
【図１５】
0006536913.tif 000036
【図１６】
0006536913.tif 000037
【図１７】
0006536913.tif 000038
【図１８】
0006536913.tif 000039
【図１９】
0006536913.tif 000040